(57)【要約】      （修正有）【課題】大型化した場合でも高精細化と軽量化の双方を満たし、かつ、開口部の強度を保ちつつも、シャドウの発生を抑制することができる蒸着マスクの提供。【解決手段】蒸着作製するパターンに対応する開口部２５が設けられた樹脂マスク２０の一方の面上に、スリット１５が設けられた金属マスク１０が積層されてなる蒸着マスク１００において、開口部を構成するための内壁面は、厚み方向断面において少なくとも１つの変曲点を有しており、樹脂マスクの金属マスクと接しない側の面である第１面と内壁面との交点を第１交点とし、樹脂マスクの金属マスクと接する側の面である第２面と内壁面との交点を第２交点とし、変曲点のうち第１交点から第２交点にむかって最初に位置する変曲点を第１変曲点としたときに、第１交点と第１変曲点を結ぶ直線と第１面とのなす角を、第１変曲点と第２交点を結ぶ直線と第２面とのなす角よりも大きくした蒸着マスク１００。【選択図】図１
2019023348.tif 000002
【特許請求の範囲】
【請求項１】
蒸着作製するパターンに対応する開口部が設けられた樹脂マスクの一方の面を第１面、他方の面を第２面としたときに、前記樹脂マスクの前記第２面側に、貫通孔が設けられた金属マスクが積層されてなる蒸着マスクであって、
厚み方向断面において、前記樹脂マスクの前記第１面と前記開口部の内壁面との交点を第１交点とし、前記第２面と前記内壁面との交点を第２交点とし、前記第１交点と前記第２交点を結ぶ直線を定義したときに、
前記厚み方向断面において、前記内壁面と前記第１面とがなす角が、前記直線と前記第１面とがなす角よりも大きく、
前記内壁面は、厚み方向断面において前記第１面から前記第２面側に向かって広がりをもつ形状である、蒸着マスク。
【請求項２】
蒸着作製するパターンに対応する開口部が設けられた樹脂マスクの一方の面を第１面、他方の面を第２面としたときに、前記樹脂マスクの前記第２面側に、貫通孔が設けられた金属マスクが積層されてなる蒸着マスクであって、
厚み方向断面において、前記樹脂マスクの前記第１面と前記開口部の内壁面との交点を第１交点とし、前記第２面と前記内壁面との交点を第２交点とし、前記第１交点と前記第２交点を結ぶ直線を定義したときに、
厚み方向断面において、前記内壁面のうち、前記第１交点を含む少なくとも一部の領域が、前記直線よりも前記第２面側に位置しており、
前記内壁面は、厚み方向断面において前記第１面から前記第２面側に向かって広がりをもつ形状である、蒸着マスク。
【請求項３】
前記内壁面は、前記第１交点及び前記第２交点とは異なる部分で前記直線と交差する、請求項１又は２に記載の蒸着マスク。
【請求項４】
前記蒸着マスクを平面視したときの前記樹脂マスクの前記開口部の開口形状が、多角形状である、請求項１乃至３の何れか１項に記載の蒸着マスク。
【請求項５】
前記蒸着マスクを平面視したときの前記樹脂マスクの前記開口部の開口形状が、曲率を有する形状を含む、請求項１乃至３の何れか１項に記載の蒸着マスク。
【請求項６】
前記蒸着マスクを平面視したときの前記金属マスクの前記貫通孔の開口形状が、多角形状である、請求項１乃至５の何れか１項に記載の蒸着マスク。
【請求項７】
前記蒸着マスクを平面視したときの前記金属マスクの前記貫通孔の開口形状が、曲率を有する形状を含む、請求項１乃至５の何れか１項に記載の蒸着マスク。
【請求項８】
フレームに蒸着マスクが固定されてなるフレーム付き蒸着マスクであって、
前記蒸着マスクが、請求項１乃至７の何れか１項に記載の蒸着マスクである、フレーム付き蒸着マスク。
【請求項９】
有機半導体素子の製造方法であって、
フレームに蒸着マスクが固定されたフレーム付き蒸着マスクを用いて蒸着対象物に蒸着パターンを形成する工程を含み、
前記フレーム付き蒸着マスクとして、請求項８に記載のフレーム付き蒸着マスクを用いる、有機半導体素子の製造方法。
【請求項１０】
蒸着作製するパターンに対応する開口部が設けられた樹脂マスクの一方の面側を第１面、他方の面側を第２面としたときに、前記樹脂マスクの前記第２面側に、貫通孔が設けられた金属マスクが積層されてなる蒸着マスクの製造方法であって、
前記金属マスクに積層された樹脂板を準備する工程と、
前記金属マスクの前記貫通孔を通じて前記樹脂板にレーザーを照射して前記開口部を形成する工程と、を含み、
前記開口部を形成する工程においては、
厚み方向断面において、前記樹脂マスクの前記第１面と前記開口部の内壁面との交点を第１交点とし、前記第２面と前記内壁面との交点を第２交点とし、前記第１交点と前記第２交点を結ぶ直線を定義したときに、
前記厚み方向断面において、前記内壁面と前記第１面とがなす角が、前記直線と前記第１面とがなす角よりも大きく、且つ前記内壁面が、厚み方向断面において前記第１面から前記第２面側に向かって広がりをもつ形状となるように、前記開口部を形成する、蒸着マスクの製造方法。
【請求項１１】
蒸着作製するパターンに対応する開口部が設けられた樹脂マスクの一方の面側を第１面、他方の面側を第２面としたときに、前記樹脂マスクの前記第２面側に、貫通孔が設けられた金属マスクが積層されてなる蒸着マスクの製造方法であって、
前記金属マスクに積層された樹脂板を準備する工程と、
前記金属マスクの前記貫通孔を通じて前記樹脂板にレーザーを照射して前記開口部を形成する工程と、を含み、
前記開口部を形成する工程においては、
厚み方向断面において、前記樹脂マスクの前記第１面と前記開口部の内壁面との交点を第１交点とし、前記第２面と前記内壁面との交点を第２交点とし、前記第１交点と前記第２交点を結ぶ直線を定義したときに、
前記厚み方向断面において、前記内壁面のうち、前記第１交点を含む少なくとも一部の領域が、前記直線よりも前記第２面側に位置し、且つ前記内壁面が、厚み方向断面において前記第１面から前記第２面側に向かって広がりをもつ形状となるように、前記開口部を形成する、蒸着マスクの製造方法。
【発明の詳細な説明】
【技術分野】
【０００１】
本発明は、蒸着マスク、フレーム付き蒸着マスク、有機半導体素子の製造方法、及び蒸着マスクの製造方法に関する。
【背景技術】
【０００２】
有機ＥＬ素子を用いた製品の大型化或いは基板サイズの大型化にともない、蒸着マスクに対しても大型化の要請が高まりつつある。そして、金属から構成される蒸着マスクの製造に用いられる金属板も大型化している。しかしながら、現在の金属加工技術では、大型の金属板にスリットを精度よく形成することは困難であり、スリットの高精細化への対応はできない。また、金属のみからなる蒸着マスクとした場合には、大型化に伴いその質量も増大し、フレームを含めた総質量も増大することから取り扱いに支障をきたすこととなる。
【０００３】
このような状況下、特許文献１には、スリットが設けられた金属マスクと、金属マスクの表面に位置し蒸着作製するパターンに対応した開口部が縦横に複数列配置された樹脂マスクとが積層されてなる蒸着マスクが提案されている。特許文献１に提案がされている蒸着マスクによれば、大型化した場合でも高精細化と軽量化の双方を満たすことができ、また、高精細な蒸着パターンの形成を行うことができるとされている。
【０００４】
また、上記特許文献１には、蒸着マスクを用いた蒸着作製時におけるシャドウの発生を抑制すべく、開口部の断面形状、或いはスリットの断面形状が蒸着源側に広がりを持つ形状であることが好ましい点について開示がされている。なお、シャドウとは、蒸着源から放出された蒸着材の一部が、金属マスクのスリットや、樹脂マスクの開口部の内壁面に衝突して蒸着対象物へ到達しないことにより、目的とする蒸着膜厚よりも薄い膜厚となる未蒸着部分が生ずる現象のことをいう。さらに、上記特許文献１には、樹脂マスクの開口部における下底先端と樹脂マスクの開口部における上底先端を結ぶ直線と、樹脂マスクの表面とのなす角が５°〜８５°の範囲内であることが好ましく、１５°〜８０°の範囲内であることがより好ましく、２５°〜６５°の範囲内であることがさらに好ましい点について開示がされている。上記特許文献１の内容を検討すると、シャドウの発生を効果的に防止するためには、開口部の断面形状が蒸着源側に向かってより大きな広がりをもつ形状とすることが好ましいと考えられる。換言すれば、樹脂マスクの開口部における下底先端と、樹脂マスクの開口部における上底先端を結ぶ直線と、樹脂マスクの金属マスクと接しない側の面とのなす角を可能な限り小さい角度とすることが好ましいと考えられる。
【０００５】
ところで、開口部の断面形状を蒸着源側に向かって広がりをもつ形状とした場合であっても、樹脂マスクの厚みが厚い場合には、シャドウの発生を十分に防止することができない場合が生じうる。したがって、シャドウの発生を十分に抑制するためには、開口部の断面形状を蒸着源側に向かってより大きな広がりをもつ形状としつつも、樹脂マスクの厚みを薄くする対策を施すことが必要であると考えられる。しかしながら、この対策を行った場合には、樹脂マスクの開口部の強度が低下し、また、樹脂マスクの金属マスクと接しない側の面における開口部の寸法精度が悪化していくこととなる。また、上記樹脂マスクの開口部における下底先端と、樹脂マスクの開口部における上底先端を結ぶ直線と、樹脂マスクの表面とのなす角を小さくしていくことにともない、金属マスクと接する側の面における開口部の開口寸法は大きくなっていく。樹脂マスクの金属マスクと接する側の面における開口部の開口寸法は大きくなっていった場合には、隣接する開口部間のピッチも狭くなり、縦方向、或いは横方向に隣接する開口部間に金属マスクのスリットを構成するための金属部分を配置させる際の支障となる場合もある。
【先行技術文献】
【特許文献】
【０００６】
【特許文献１】特許第５２８８０７２号公報
【発明の概要】
【発明が解決しようとする課題】
【０００７】
本発明はこのような状況に鑑みてなされたものであり、大型化した場合でも高精細化と軽量化の双方を満たし、かつ、開口部の強度を保ちつつも、シャドウの発生を抑制することができる蒸着マスク、蒸着マスクの製造方法、及びフレーム付き蒸着マスクを提供すること、及び、有機半導体素子を精度よく製造することができる有機半導体素子の製造方法を提供することを主たる課題とする。
【課題を解決するための手段】
【０００８】
上記課題を解決するための本発明は、蒸着作製するパターンに対応する開口部が設けられた樹脂マスクの一方の面を第１面、他方の面を第２面としたときに、前記樹脂マスクの前記第２面側に、貫通孔が設けられた金属マスクが積層されてなる蒸着マスクであって、厚み方向断面において、前記樹脂マスクの前記第１面と前記開口部の内壁面との交点を第１交点とし、前記第２面と前記内壁面との交点を第２交点とし、前記第１交点と前記第２交点を結ぶ直線を定義したときに、前記厚み方向断面において、前記内壁面と前記第１面とがなす角が、前記直線と前記第１面とがなす角よりも大きく、前記内壁面は、厚み方向断面において前記第１面から前記第２面側に向かって広がりをもつ形状である。
また、上記課題を解決するための本発明は、蒸着作製するパターンに対応する開口部が設けられた樹脂マスクの一方の面を第１面、他方の面を第２面としたときに、前記樹脂マスクの前記第２面側に、貫通孔が設けられた金属マスクが積層されてなる蒸着マスクであって、厚み方向断面において、前記樹脂マスクの前記第１面と前記開口部の内壁面との交点を第１交点とし、前記第２面と前記内壁面との交点を第２交点とし、前記第１交点と前記第２交点を結ぶ直線を定義したときに、厚み方向断面において、前記内壁面のうち、前記第１交点を含む少なくとも一部の領域が、前記直線よりも前記第２面側に位置しており、前記内壁面は、厚み方向断面において前記第１面から前記第２面側に向かって広がりをもつ形状である。
上記の蒸着マスクにおいて、前記内壁面は、前記第１交点及び前記第２交点とは異なる部分で前記直線と交差していてもよい。
上記の蒸着マスクにおいて、前記蒸着マスクを平面視したときの前記樹脂マスクの前記開口部の開口形状が、多角形状であってもよい。また、前記蒸着マスクを平面視したときの前記樹脂マスクの前記開口部の開口形状が、曲率を有する形状を含んでいてもよい。また、前記蒸着マスクを平面視したときの前記金属マスクの前記貫通孔の開口形状が、多角形状であってもよい。また、前記蒸着マスクを平面視したときの前記金属マスクの前記貫通孔の開口形状が、曲率を有する形状を含んでいてもよい。
また、上記課題を解決するための本発明は、フレームに蒸着マスクが固定されてなるフレーム付き蒸着マスクであって、前記蒸着マスクとして、上記の蒸着マスクを用いる。
また、上記課題を解決するための本発明は、有機半導体素子の製造方法であって、フレームに蒸着マスクが固定されたフレーム付き蒸着マスクを用いて蒸着対象物に蒸着パターンを形成する工程を含み、前記フレーム付き蒸着マスクとして、上記のフレーム付き蒸着マスクを用いる。
また、上記課題を解決するための本発明は、蒸着作製するパターンに対応する開口部が設けられた樹脂マスクの一方の面側を第１面、他方の面側を第２面としたときに、前記樹脂マスクの前記第２面側に、貫通孔が設けられた金属マスクが積層されてなる蒸着マスクの製造方法であって、前記金属マスクに積層された樹脂板を準備する工程と、前記金属マスクの前記貫通孔を通じて前記樹脂板にレーザーを照射して前記開口部を形成する工程と、を含み、前記開口部を形成する工程においては、厚み方向断面において、前記樹脂マスクの前記第１面と前記開口部の内壁面との交点を第１交点とし、前記第２面と前記内壁面との交点を第２交点とし、前記第１交点と前記第２交点を結ぶ直線を定義したときに、前記厚み方向断面において、前記内壁面と前記第１面とがなす角が、前記直線と前記第１面とがなす角よりも大きく、且つ前記内壁面が、厚み方向断面において前記第１面から前記第２面側に向かって広がりをもつ形状となるように、前記開口部を形成する。
また、上記課題を解決するための本発明は、蒸着作製するパターンに対応する開口部が設けられた樹脂マスクの一方の面側を第１面、他方の面側を第２面としたときに、前記樹脂マスクの前記第２面側に、貫通孔が設けられた金属マスクが積層されてなる蒸着マスクの製造方法であって、前記金属マスクに積層された樹脂板を準備する工程と、前記金属マスクの前記貫通孔を通じて前記樹脂板にレーザーを照射して前記開口部を形成する工程と、を含み、前記開口部を形成する工程においては、厚み方向断面において、前記樹脂マスクの前記第１面と前記開口部の内壁面との交点を第１交点とし、前記第２面と前記内壁面との交点を第２交点とし、前記第１交点と前記第２交点を結ぶ直線を定義したときに、前記厚み方向断面において、前記内壁面のうち、前記第１交点を含む少なくとも一部の領域が、前記直線よりも前記第２面側に位置し、且つ前記内壁面が、厚み方向断面において前記第１面から前記第２面側に向かって広がりをもつ形状となるように、前記開口部を形成する。
【０００９】
また、一実施形態の蒸着マスクは、蒸着作製するパターンに対応する開口部が設けられた樹脂マスクの一方の面上に、スリットが設けられた金属マスクが積層されてなる蒸着マスクであって、前記樹脂マスクの前記開口部を構成するための内壁面は、厚み方向断面において少なくとも１つの屈折点を有しており、前記厚み方向断面において、前記樹脂マスクの前記金属マスクと接しない側の面である第１面と前記内壁面との交点を第１交点とし、前記樹脂マスクの前記金属マスクと接する側の面である第２面と前記内壁面との交点を第２交点とし、前記屈折点のうち前記第１交点から第２交点にむかって最初に位置する屈折点を第１屈折点としたときに、前記第１交点と前記第１屈折点を結ぶ直線と前記第１面とのなす角（θ１）は、前記第１屈折点と前記第２交点を結ぶ直線と前記第２面とのなす角（θ２）よりも大きく、前記内壁面は、厚み方向断面において前記第１面から前記第２面側に向かって広がりをもつ形状であることを特徴とする。
また、前記第１屈折点と前記第１交点を結ぶ直線と前記第１面とのなす角（θ１）が６０°〜９０°の範囲であり、前記第１屈折点と前記第２交点を結ぶ直線と前記第２面とのなす角（θ２）が３０°〜７０°の範囲内であってもよい。
【００１０】
また、前記金属マスクには、複数のスリットが設けられ、前記樹脂マスクには、複数画面を構成するために必要な開口部が設けられ、各前記スリットは、少なくとも１画面全体と重なる位置に設けられていてもよい。
【００１１】
また、前記金属マスクには、１つのスリットが設けられ、前記樹脂マスクには、複数の開口部が設けられ、前記複数の開口部の全ては、前記１つのスリットと重なる位置に設けられていてもよい。
【００１２】
また、上記の発明において、樹脂マスクの厚みが、３μｍ以上１０μｍ未満であってもよい。
【００１３】
また、上記課題を解決するための本発明は、有機半導体素子の製造方法であって、フレームに蒸着マスクが固定されたフレーム付き蒸着マスクを用いて蒸着対象物に蒸着パターンを形成する工程を含み、前記蒸着パターンを形成する工程において、前記フレームに固定される前記蒸着マスクが、蒸着作製するパターンに対応する開口部が設けられた樹脂マスクの一方の面上に、スリットが設けられた金属マスクが積層されてなり、前記樹脂マスクの前記開口部を構成するための内壁面は、厚み方向断面において少なくとも１つの屈折点を有しており、前記厚み方向断面において、前記樹脂マスクの前記金属マスクと接しない側の面である第１面と前記内壁面との交点を第１交点とし、前記樹脂マスクの前記金属マスクと接する側の面である第２面と前記内壁面との交点を第２交点とし、前記屈折点のうち前記第１交点から第２交点にむかって最初に位置する屈折点を第１屈折点としたときに、前記第１交点と前記第１屈折点を結ぶ直線と前記第１面とのなす角（θ１）は、前記第１屈折点と前記第２交点を結ぶ直線と前記第２面とのなす角（θ２）よりも大きく、前記内壁面が、厚み方向断面において前記第１面から前記第２面側に向かって広がりをもつ形状を有する蒸着マスクであることを特徴とする。
【００１４】
また、上記課題を解決するための本発明は、フレームに蒸着マスクが固定されてなるフレーム付き蒸着マスクであって、前記蒸着マスクは、蒸着作製するパターンに対応する開口部が設けられた樹脂マスクの一方の面上に、スリットが設けられた金属マスクが積層されてなり、前記樹脂マスクの前記開口部を構成するための内壁面は、厚み方向断面において少なくとも１つの屈折点を有しており、前記厚み方向断面において、前記樹脂マスクの前記金属マスクと接しない側の面である第１面と前記内壁面との交点を第１交点とし、前記樹脂マスクの前記金属マスクと接する側の面である第２面と前記内壁面との交点を第２交点とし、前記屈折点のうち前記第１交点から第２交点にむかって最初に位置する屈折点を第１屈折点としたときに、前記第１交点と前記第１屈折点を結ぶ直線と前記第１面とのなす角（θ１）は、前記第１屈折点と前記第２交点を結ぶ直線と前記第２面とのなす角（θ２）よりも大きく、前記内壁面は、厚み方向断面において前記第１面から前記第２面側に向かって広がりをもつ形状であることを特徴とする。
【発明の効果】
【００１５】
本発明の蒸着マスク、蒸着マスクの製造方法により製造された蒸着マスク、及びフレーム付き蒸着マスクによれば、大型化した場合でも高精細化と軽量化の双方を満たし、かつ、開口部の強度を保ちつつも、シャドウの発生を抑制することができる。また、本発明の有機半導体素子の製造方法によれば、有機半導体素子を精度よく製造することができる。
【図面の簡単な説明】
【００１６】
【図１】一実施形態の蒸着マスクを金属マスク側から見た正面図である。
【図２】図１に示す蒸着マスクのＡ−Ａ部分概略断面図であり、開口部の内壁面の厚み方向断面の形状を説明するための図である。
【図３】開口部の内壁面の厚み方向断面の形状を説明するための図である。
【図４】開口部の内壁面の厚み方向断面の形状を説明するための図である。
【図５】開口部の内壁面の厚み方向断面の形状を説明するための図である。
【図６】一実施形態の蒸着マスクを金属マスク側から見た正面図である。
【図７】図１に示す蒸着マスクのＢ−Ｂ断面の一例である。
【図８】第１実施形態の蒸着マスクを金属マスク側から見た正面図である。
【図９】第１実施形態の蒸着マスクを金属マスク側から見た正面図である。
【図１０】第１実施形態の蒸着マスクを金属マスク側から見た正面図である。
【図１１】第１実施形態の蒸着マスクを金属マスク側から見た正面図である。
【図１２】第２実施形態の蒸着マスクを金属マスク側から見た正面図である。
【図１３】第２実施形態の蒸着マスクを金属マスク側から見た正面図である。
【図１４】一実施形態の蒸着マスクの製造方法を説明するための図であり、（ａ）〜（ｃ）はそれぞれ断面図である。
【図１５】一実施形態のフレーム付き蒸着マスクを樹脂マスク側から見た正面図である。
【図１６】一実施形態のフレーム付き蒸着マスクを樹脂マスク側から見た正面図である。
【発明を実施するための形態】
【００１７】
＜＜蒸着マスク＞＞
以下に、本発明の一実施形態の蒸着マスク１００について具体的に説明する。
【００１８】
本発明の一実施形態の蒸着マスク１００は、図１に示すように、蒸着作製するパターンに対応する開口部２５が設けられた樹脂マスクの２０一方の面上に、スリット１５が設けられた金属マスク１０が積層された構成をとる。以下、一実施形態の蒸着マスクにおける各構成について説明する。
【００１９】
（樹脂マスク）
図１に示すように、樹脂マスク２０には、複数の開口部２５が設けられている。図１は、一実施形態の蒸着マスクを金属マスク側から見た正面図である。そして、本発明は、図２〜図５に示すように、樹脂マスク２０の開口部２５を構成するための内壁面は、厚み方向断面において少なくとも１つの屈折点（Ｓ１）を有しており、当該厚み方向断面において、樹脂マスク２０の金属マスク１０と接しない側の面である第１面と内壁面との交点を第１交点（Ｑ１）とし、樹脂マスク２０の金属マスク１０と接する側の面である第２面と内壁面との交点を第２交点（Ｑ２）とし、屈折点のうち第１交点（Ｑ１）から第２交点（Ｑ２）にむかって最初に位置する第１屈折点（Ｓ１）としたときに、第１交点（Ｑ１）と第１屈折点（Ｓ１)を結ぶ直線（Ｔ１）と第１面とのなす角（θ１）は、第１屈折点（Ｓ１）と第２交点（Ｑ２）を結ぶ直線（Ｔ２）と第２面とのなす角（θ２）よりも大きく、内壁面は、厚み方向断面において第１面から第２面側に向かって広がりをもつ形状であることを特徴としている。なお、図２〜図５は、図１のＡ−Ａ部分概略断面図であり、開口部２５の内壁面の断面形状を説明するための図である。本願明細書で言う「開口部を構成するための内壁面」とは、樹脂マスク２０を厚さ方向に貫通する開口部において、当該開口部そのものを形作っている樹脂マスクの面、換言すれば、開口部内の空間に面している面のことをいう。
【００２０】
上記特徴を有する一実施形態の蒸着マスクによれば、開口部の強度を保ちつつも、シャドウの発生を十分に抑制することができる。以下、開口部を構成するための内壁面が、厚み方向断面において屈折点を有しない場合を例に挙げ（以下、比較の例と言う）本発明の優位性について説明する。
【００２１】
比較の例において、シャドウの発生を抑制するためには、各図で示される第１交点（Ｑ１）と第２交点（Ｑ２）とを結ぶ直線と、第１面とのなす角によって、樹脂マスクの金属マスクと接する側の面における開口部の開口寸法が決定される。シャドウの発生を抑制するためには、第１交点（Ｑ１）と第２交点（Ｑ２）とを結ぶ直線と第１面とのなす角を小さくしていくことが必要であるものの、当該角を小さくしていった場合、例えば、当該角を各図で示される（θ２）に近似する程度まで小さくしていった場合には、開口部の強度が低下し、蒸着マスクを用いた蒸着作製時において、蒸着パターン不良等の不具合を生じさせる原因となる。また、金属マスクと接しない側の樹脂マスクにおける開口部の開口寸法精度が低下する原因となる。なお、金属マスクと接しない側の樹脂マスクにおける開口部の開口寸法は、蒸着マスクを用いて蒸着作製するパターン形状に対応する。
【００２２】
また、比較の例において、各図で示される第１交点と第２交点を結ぶ直線と第１面とのなす角を、各図で示される（θ２）に近似する角まで小さくしていった場合には、金属マスクと接する側の面における開口部の開口寸法は、本発明における開口部の開口寸法よりも大きな寸法となる。開口部を横方向、或いは縦方向に規則的に配置する場合に、金属マスクと接する側の面における開口部の開口寸法が大きくなっていった場合には、隣接する開口部間の距離が狭くなり、隣接する開口部間に金属マスクのスリットを構成するための金属部分を配置する際の支障となる場合もある。
【００２３】
なお、本願明細書で言う「縦方向」、「横方向」とは、図面の上下方向、左右方向をさし、蒸着マスク、樹脂マスク、金属マスクの長手方向、幅方向のいずれの方向であってもよい。例えば、蒸着マスク、樹脂マスク、金属マスクの長手方向を「縦方向」としてもよく、幅方向を「縦方向」としてもよい。また、本願明細書では、蒸着マスクを平面視したときの形状が矩形状である場合を例に挙げて説明しているが、これ以外の形状、例えば、円形状、ひし形形状等としてもよい。この場合、対角線の長手方向や、径方向、或いは、任意の方向を「長手方向」とし、この「長手方向」に直交する方向を、「幅方向（短手方向と言う場合もある）」とすればよい。
【００２４】
一方、本発明では、内壁面の厚み方向断面において少なくとも１つの屈折点を有しており、かつ、第１交点（Ｑ１）と第１屈折点（Ｓ１)を結ぶ直線（Ｔ１）と第１面とのなす角（θ１）＞第１屈折点（Ｓ１）と第２交点（Ｑ２）を結ぶ直線（Ｔ２）と第２面とのなす角（θ２）の関係を満たしていることから、上記比較の例における第１交点（Ｑ１）と第２交点（Ｑ２）とを結ぶ直線と第１面とのなす角よりも、当該（θ１）の角度を大きくとることができ、樹脂マスクの厚みを薄くしていった場合であっても、開口部の強度を十分に満足させることができる。また、本発明によれば、比較の例において第１交点（Ｑ１）と第２交点（Ｑ２）を結ぶ直線と第１面とのなす角を（θ２）と同じ角度とした場合に、金属マスクと接する側の樹脂マスク表面における開口部２５の開口寸法は、比較の例の開口部の開口寸法よりも小さくなる。これにより、隣接する開口部間に金属マスクのスリットを構成するための金属部分を配置するときの支障とならない開口部間の距離（ピッチ）を確保しつつも、シャドウの発生を十分に抑制することができる。
【００２５】
一実施形態の蒸着マスクは、１つの開口部を構成するための全ての内壁面の厚み方向断面が上記特徴を有していることを必須の条件とするものではなく、１つの開口部を構成するための内壁面の少なくとも１つの内壁面が厚み方向断面において上記特徴を有していればよい。例えば、開口部２５を構成するための内壁面のうち、横方向、或いは縦方向において対向する内壁面の厚み方向断面が上記特徴を有するものであってもよく、１つの開口部２５を構成するための全ての内壁面の厚み方向断面が上記特徴を有するものであってもよい。例えば、本発明の蒸着マスクを用いた蒸着パターンの形成において、蒸着マスクの横方向を走査方向とするリニアソース蒸着源を用いる場合には、開口部を構成するための内壁面のうち、縦方向に対向する内壁面の厚み方向断面が上記特徴を有していることが好ましい。
【００２６】
また、各図に示す形態では、開口部２５の開口形状は、矩形状を呈しているが、開口形状について特に限定はなく、開口部２５の開口形状は、ひし形、多角形状であってもよく、円や、楕円等の曲率を有する形状であってもよい。なお、矩形や、多角形状の開口形状は、円や楕円等の曲率を有する開口形状と比較して発光面積を大きくとれる点で、好ましい開口部２５の開口形状であるといえる。
【００２７】
また、本願明細書で言う内壁面の「厚み方向断面」とは、開口部の開口形状が、矩形、或いは多角形状である場合には、当該開口部の内壁面を直交する厚み方向断面を意味し、円や、楕円等曲率を有する形状である場合には、接線に直交する厚み方向断面を意味する。
【００２８】
図２〜図５に示すように、内壁面は、厚み方向断面において、少なくとも１つの屈折点を有している。なお、図２で示す形態では、内壁面は厚み方向断面において１つの屈折点を有しており、図３〜図５で示す形態では、内壁面は厚み方向断面において２つ以上の屈折点を有している。
【００２９】
θ１＞θ２の関係を満たすものであれば、θ１、θ２の具体的な角について特に限定はなく、この関係を満たす範囲内で適宜設定することができる。なお、θ１の角度が６０°未満である場合には、樹脂マスクの厚みによっては開口部２５の強度が低下し、また、樹脂マスクと接しない側の面における開口部の寸法精度が低下していく傾向にある。したがって、この点を考慮すると、第１屈折点と第１交点とを結ぶ直線と第１面とのなす角（θ１）は６０°以上であることが好ましい。上限値について特に限定はなく、９０°である。
【００３０】
また、上記関係を満たす場合であっても、第１屈折点（Ｓ１）と第２交点（Ｑ２）を結ぶ直線（Ｔ２）と第２面とのなす角（θ２）が７０°を超える場合には、シャドウの発生を抑制する効果が低下していく傾向にある。したがって、この点を考慮すると、θ２は、７０°以下であることが好ましい。下限値について特に限定はないが、金属マスクと接する側の面における開口部の開口寸法、及び蒸着源から放出される蒸着材の拡がりを考慮すると、３０°以上であることが好ましい。
【００３１】
また、図３〜図５に示すように、内壁面の厚み方向断面が複数の屈折点を有する場合において、第１屈折点（Ｓ１）以外の屈折点と第２交点（Ｑ２）とを結ぶ直線と、第２面とのなす角についていかなる限定もされることはない。例えば、図３に示す形態では、第２屈折点（Ｓ２）と第２交点（Ｑ２) とを結ぶ直線と、第２面とのなす角は９０°未満となっており、図４に示す形態では略９０°となっている。また、図５では、第２屈折点（Ｓ２）と第３屈折点（Ｓ３）を結ぶ直線と第１面とのなす角は、θ１より小さく、第４屈折点（Ｓ４）と第２交点を結ぶ直線と第２面とのなす角よりも小さい角となっているが、第２屈折点（Ｓ２）と第３屈折点（Ｓ３）を結ぶ直線と第１面とのなす角は、θ１、第４屈折点（Ｓ４）と第２交点を結ぶ直線と第２面とのなす角よりも大きい角となっていてもよい。つまり、θ１、θ２以外の角についていかなる限定もされることはない。
【００３２】
樹脂マスク２０の厚みについて特に限定はないが、シャドウの発生の抑制効果をさらに向上せしめる場合には、樹脂マスク２０の厚みは、２５μｍ以下であることが好ましく、１０μｍ未満であることがより好ましく、８μｍ以下であることが特に好ましい。下限値の好ましい範囲について特に限定はないが、樹脂マスク２０の厚みが３μｍ未満である場合には、ピンホール等の欠陥が生じやすく、また変形等のリスクが高まる。特に、樹脂マスク２０の厚みを、３μｍ以上１０μｍ未満、より好ましくは４μｍ以上８μｍ以下とすることで、上記の開口部２５を構成する内壁面の厚み方向の断面形状と相俟って、４００ｐｐｉを超える高精細パターンを形成する際のシャドウの影響をより効果的に防止することができる。樹脂マスク２０と後述する金属マスク１０とは、直接的に接合されていてもよく、粘着剤層を介して接合されていてもよいが、粘着剤層を介して樹脂マスク２０と金属マスク１０とが接合される場合には、樹脂マスク２０と粘着剤層との合計の厚みが上記好ましい厚みの範囲内であることが好ましい。
【００３３】
第１面から第１屈折点（Ｓ１）までの厚み方向（垂直方向）の距離（図２で示されるＤ１）について特に限定はないが、樹脂マスク全体の厚みを１００としたときに、２０〜８０程度であることが好ましい。距離（Ｄ１）をこの範囲内とすることで、開口部２５の強度を十分に満足させつつも、シャドウの発生をより効果的に抑制することができる。第１屈折点（Ｓ１）から第２面までの厚み方向の距離は、上記距離（Ｄ１）に応じて適宜設定することができる。
【００３４】
樹脂マスク２０は、従来公知の樹脂材料を適宜選択して用いることができ、その材料について特に限定されないが、レーザー加工等によって高精細な開口部２５の形成が可能であり、熱や経時での寸法変化率や吸湿率が小さく、軽量な材料を用いることが好ましい。このような材料としては、ポリイミド樹脂、ポリアミド樹脂、ポリアミドイミド樹脂、ポリエステル樹脂、ポリエチレン樹脂、ポリビニルアルコール樹脂、ポリプロピレン樹脂、ポリカーボネート樹脂、ポリスチレン樹脂、ポリアクリロニトリル樹脂、エチレン酢酸ビニル共重合体樹脂、エチレン−ビニルアルコール共重合体樹脂、エチレン−メタクリル酸共重合体樹脂、ポリ塩化ビニル樹脂、ポリ塩化ビニリデン樹脂、セロファン、アイオノマー樹脂等を挙げることができる。上記に例示した材料の中でも、その熱膨張係数が１６ｐｐｍ／℃以下である樹脂材料が好ましく、吸湿率が１．０％以下である樹脂材料が好ましく、この双方の条件を備える樹脂材料が特に好ましい。
【００３５】
また、樹脂マスク２０の開口部２５を構成する内壁面にバリア層を設けることもできる。バリア層としては、無機酸化物や無機窒化物、金属の薄膜層または蒸着層を用いることができる。無機酸化物としては、アルミニウムやケイ素、インジウム、スズ、マグネシウムの酸化物を用いることができ、金属としてはアルミニウム等を用いることができる。
【００３６】
なお、上記で説明した形態では、開口部２５は、縦方向、及び横方向に規則的に配置されているが、この形態に限定されるものではなく、例えば、図６に示すように、開口部２５が互い違いに配置された形態をとることもできる。開口部２５を互い違いに配置することにより、樹脂マスク２０が熱膨張した場合にあっても、各所において生じる膨張を開口部２５によって吸収することができ、膨張が累積して大きな変形が生じることを防止することができる。
【００３７】
（金属マスク）
図７に示すように、樹脂マスク２０の一方の上には、金属マスク１０が積層されている。金属マスク１０は、金属から構成され、縦方向或いは横方向に延びるスリット１５が配置されている。スリット１５は開口と同義である。スリットの配置例について特に限定はなく、図２に示すように縦方向、及び横方向に延びるスリットが、縦方向、及び横方向に複数列配置されていてもよく、縦方向に延びるスリットが、横方向に複数列配置されていてもよく、横方向に延びるスリットが縦方向に複数列配置されていてもよい。また、縦方向、或いは横方向に１列のみ配置されていてもよい。なお、図７は、図１で示される蒸着マスクのＢ−Ｂ断面であり、横方向に対向する内壁面の厚み方向断面が、それぞれ図２〜図５等で例示した形状を呈している。
【００３８】
金属マスク１０の材料について特に限定はなく、蒸着マスクの分野で従来公知のものを適宜選択して用いることができ、例えば、ステンレス鋼、鉄ニッケル合金、アルミニウム合金などの金属材料を挙げることができる。中でも、鉄ニッケル合金であるインバー材は熱による変形が少ないので好適に用いることができる。
【００３９】
金属マスク１０の厚みについても特に限定はないが、シャドウの発生をより効果的に防止するためには、１００μｍ以下であることが好ましく、５０μｍ以下であることがより好ましく、３５μｍ以下であることが特に好ましい。なお、５μｍより薄くした場合、破断や変形のリスクが高まるとともにハンドリングが困難となる傾向にある。
【００４０】
また、図１に示す形態では、スリット１５の開口形状は、矩形状を呈しているが、開口形状について特に限定はなく、スリット１５の開口形状は、台形状、円形状等いかなる形状であってもよい。
【００４１】
金属マスク１０に形成されるスリット１５の断面形状についても特に限定されることはないが、図７に示すように蒸着源に向かって広がりをもつような形状であることが好ましい。換言すれば、金属マスクの面において、樹脂マスク２０と接する側の面から、樹脂マスク２０と接しない側の面に向かって広がりをもつような形状であることが好ましい。より具体的には、金属マスク１０のスリット１５における下底先端と、同じく金属マスク１０のスリット１５における上底先端とを結んだ直線と、金属マスク１０の底面とのなす角度、換言すれば、金属マスク１０のスリット１５を構成する内壁面の厚み方向断面において、スリット１５の内壁面と金属マスク１０の樹脂マスク２０と接する側の面（図示する形態では、金属マスクの下面）とのなす角度は、５°〜８５°の範囲内であることが好ましく、１５°〜８０°の範囲内であることがより好ましく、２５°〜６５°の範囲内であることがさらに好ましい。特には、この範囲内の中でも、使用する蒸着機の蒸着角度よりも小さい角度であることが好ましい。
【００４２】
樹脂マスク上に金属マスク１０を積層する方法について特に限定はなく、樹脂マスク２０と金属マスク１０とを各種粘着剤を用いて貼り合わせてもよく、自己粘着性を有する樹脂マスクを用いてもよい。樹脂マスク２０と金属マスク１０の大きさは同一であってもよく、異なる大きさであってもよい。なお、この後に任意で行われるフレームへの固定を考慮して、樹脂マスク２０の大きさを金属マスク１０よりも小さくし、金属マスク１０の外周部分が露出された状態としておくと、金属マスク１０とフレームとの固定が容易となり好ましい。
【００４３】
以下、より高精細な蒸着パターンの作製が可能となる蒸着マスクの形態について第１実施形態、及び第２実施形態を例に挙げ説明する。なお、本発明の蒸着マスク１００は、以下で説明する形態に限定されるものではなく、スリット１５が形成された金属マスク１０と、蒸着作製するパターンに対応する開口部２５が形成された樹脂マスク２０とが積層されており、開口部２５を構成するための内壁面の断面形状が上記で説明した条件を満たすものであればいかなる形態であってもよい。例えば、金属マスク１０に形成されているスリット１５は、ストライプ状（図示しない）であってもよい。また、１画面全体と重ならない位置に、金属マスク１０のスリット１５が設けられていてもよい。１画面については後述する。
【００４４】
＜第１実施形態の蒸着マスク＞
図８に示すように、本発明の第１実施形態の蒸着マスク１００は、複数画面分の蒸着パターンを同時に形成するための蒸着マスクであって、樹脂マスク２０の一方の面上に、複数のスリット１５が設けられた金属マスク１０が積層されてなり、樹脂マスク２０には、複数画面を構成するために必要な開口部２５が設けられ、各スリット１５が、少なくとも１画面全体と重なる位置に設けられていることを特徴とする。さらに、第１実施形態の蒸着マスク１００は、樹脂マスク２０の開口部２５を構成するための内壁面が、厚み方向断面において少なくとも１つの屈折点（Ｓ１）を有しており、樹脂マスク２０の金属マスク１０と接しない側の面である第１面と内壁面との交点を第１交点（Ｑ１）とし、樹脂マスク２０の金属マスク１０と接する側の面である第２面と内壁面との交点を第２交点（Ｑ２）とし、屈折点のうち第１交点（Ｑ１）から第２交点（Ｑ２）にむかって最初に位置する第１屈折点（Ｓ１）としたときに、第１交点（Ｑ１）と第１屈折点（Ｓ１)を結ぶ直線（Ｔ１）と第１面とのなす角（θ１）は、第１屈折点（Ｓ１）と第２交点（Ｑ２）を結ぶ直線（Ｔ２）と第２面とのなす角（θ２）よりも大きく、内壁面は、厚み方向断面において第１面から第２面側に向かって広がりをもつ形状であることを特徴としている。
【００４５】
第１実施形態の蒸着マスク１００は、複数画面分の蒸着パターンを同時に形成するために用いられる蒸着マスクであり、１つの蒸着マスク１００で、複数の製品に対応する蒸着パターンを同時に形成することができる。第１実施形態の蒸着マスクで言う「開口部」とは、第１実施形態の蒸着マスク１００を用いて作製しようとするパターンを意味し、例えば、当該蒸着マスクを有機ＥＬディスプレイにおける有機層の形成に用いる場合には、開口部２５の形状は当該有機層の形状となる。また、「１画面」とは、１つの製品に対応する開口部２５の集合体からなり、当該１つの製品が有機ＥＬディスプレイである場合には、１つの有機ＥＬディスプレイを形成するのに必要な有機層の集合体、つまり、有機層となる開口部２５の集合体が「１画面」となる。そして、第１実施形態の蒸着マスク１００は、複数画面分の蒸着パターンを同時に形成すべく、樹脂マスク２０には、上記「１画面」が、所定の間隔をあけて複数画面分配置されている。すなわち、樹脂マスク２０には、複数画面を構成するために必要な開口部２５が設けられている。
【００４６】
第１実施形態の蒸着マスクは、樹脂マスクの一方の面上に、複数のスリット１５が設けられた金属マスク１０が設けられ、各スリットは、それぞれ少なくとも１画面全体と重なる位置に設けられている点を特徴とする。換言すれば、１画面を構成するのに必要な開口部２５間において、横方向に隣接する開口部２５間に、スリット１５の縦方向の長さと同じ長さであって、金属マスク１０と同じ厚みを有する金属線部分や、縦方向に隣接する開口部２５間に、スリット１５の横方向の長さと同じ長さであって、金属マスク１０と同じ厚みを有する金属線部分が存在していないことを特徴とする。以下、スリット１５の縦方向の長さと同じ長さであって、金属マスク１０と同じ厚みを有する金属線部分や、スリット１５の横方向の長さと同じ長さであって、金属マスク１０と同じ厚みを有する金属線部分のことを総称して、単に金属線部分と言う場合がある。
【００４７】
第１実施形態の蒸着マスク１００によれば、１画面を構成するのに必要な開口部２５の大きさや、１画面を構成する開口部２５間のピッチを狭くした場合、例えば、４００ｐｐｉを超える画面の形成を行うべく、開口部２５の大きさや、開口部２５間のピッチを極めて微小とした場合であっても、金属線部分による干渉を防止することができ、高精細な画像の形成が可能となる。なお、１画面が、複数のスリットによって分割されている場合、換言すれば、１画面を構成する開口部２５間に金属マスク１０と同じ厚みを有する金属線部分が存在している場合には、１画面を構成する開口部２５間のピッチが狭くなっていくことにともない、開口部２５間に存在する金属線部分が蒸着対象物へ蒸着パターンを形成する際の支障となり高精細な蒸着パターンの形成が困難となる。換言すれば、１画面を構成する開口部２５間に金属マスク１０と同じ厚みを有する金属線部分が存在している場合は、当該金属線部分が、シャドウの発生を引き起こし高精細な画面の形成が困難となる。
【００４８】
次に、図８〜図１１を参照して、１画面を構成する開口部２５の一例について説明する。なお、図示する形態において破線で閉じられた領域が１画面となっている。図示する形態では、説明の便宜上少数の開口部２５の集合体を１画面としているが、この形態に限定されるものではなく、例えば、１つの開口部２５を１画素としたときに、１画面に数百万画素の開口部２５が存在していてもよい。
【００４９】
図８に示す形態では、縦方向、横方向に複数の開口部２５が設けられてなる開口部２５の集合体によって１画面が構成されている。図９に示す形態では、横方向に複数の開口部２５が設けられてなる開口部２５の集合体によって１画面が構成されている。また、図１０に示す形態では、縦方向に複数の開口部２５が設けられてなる開口部２５の集合体によって１画面が構成されている。そして、図８〜図１０では、１画面全体と重なる位置にスリット１５が設けられている。
【００５０】
上記で説明したように、スリット１５は、１画面のみと重なる位置に設けられていてもよく、図１１（ａ）、（ｂ）に示すように、２以上の画面全体と重なる位置に設けられていてもよい。図１１（ａ）では、図８に示す樹脂マスク１０において、横方向に連続する２画面全体と重なる位置にスリット１５が設けられている。図１１（ｂ）では、縦方向に連続する３画面全体と重なる位置にスリット１５が設けられている。
【００５１】
次に、図８に示す形態を例に挙げて、１画面を構成する開口部２５間のピッチ、画面間のピッチについて説明する。１画面を構成する開口部２５間のピッチや、開口部２５の大きさについて特に限定はなく、蒸着作製するパターンに応じて適宜設定することができる。例えば、４００ｐｐｉの高精細な蒸着パターンの形成を行う場合には、１画面を構成する開口部２５において隣接する開口部２５の横方向のピッチ（Ｐ１）、縦方向のピッチ（Ｐ２）は６０μｍ程度となる。また、開口部の大きさは、５００μｍ2〜１０００μｍ2程度となる。また、１つの開口部２５は、１画素に対応していることに限定されることはなく、例えば、画素配列によっては、複数画素を纏めて１つの開口部２５とすることもできる。
【００５２】
画面間の横方向ピッチ（Ｐ３）、縦方向ピッチ（Ｐ４）についても特に限定はないが、図８に示すように、１つのスリット１５が、１画面全体と重なる位置に設けられる場合には、各画面間に金属線部分が存在することとなる。したがって、各画面間の縦方向ピッチ（Ｐ４）、横方向のピッチ（Ｐ３）が、１画面内に設けられている開口部２５の縦方向ピッチ（Ｐ２）、横方向ピッチ（Ｐ１）よりも小さい場合、或いは略同等である場合には、各画面間に存在している金属線部分が断線しやすくなる。したがって、この点を考慮すると、画面間のピッチ（Ｐ３、Ｐ４）は、１画面を構成する開口部２５間のピッチ（Ｐ１、Ｐ２）よりも広いことが好ましい。画面間のピッチ（Ｐ３、Ｐ４）の一例としては、１ｍｍ〜１００ｍｍ程度である。なお、画面間のピッチとは、１の画面と、当該１の画面と隣接する他の画面とにおいて、隣接している開口部間のピッチを意味する。このことは、後述する第２実施形態の蒸着マスクにおける開口部２５のピッチ、画面間のピッチについても同様である。
【００５３】
なお、図１１に示すように、１つのスリット１５が、２つ以上の画面全体と重なる位置に設けられる場合には、１つのスリット１５内に設けられている複数の画面間には、スリットの内壁面を構成する金属線部分が存在しないこととなる。したがって、この場合、１つのスリット１５と重なる位置に設けられている２つ以上の画面間のピッチは、１画面を構成する開口部２５間のピッチと略同等であってもよい。
【００５４】
また、樹脂マスク２０には、樹脂マスク２０の縦方向、或いは横方向にのびる溝が形成されていてもよい。蒸着時に熱が加わった場合、樹脂マスク２０が熱膨張し、これにより開口部２５の寸法や位置に変化が生じる可能性があるが、溝を形成することで樹脂マスクの膨張を吸収することができ、樹脂マスクの各所で生じる熱膨張が累積することにより樹脂マスク２０が全体として所定の方向に膨張して開口部２５の寸法や位置が変化することを防止することができる。溝の形成位置について限定はなく、１画面を構成する開口部２５間や、開口部２５と重なる位置に設けられていてもよいが、縦画面間に設けられていることが好ましい。また、溝は、樹脂マスクの一方の面、例えば、金属マスクと接する側の面のみに設けられていてもよく、金属マスクと接しない側の面のみに設けられていてもよい。或いは、樹脂マスク２０の両面に設けられていてもよい。
【００５５】
また、隣接する画面間に縦方向に延びる溝としてもよく、隣接する画面間に横方向に延びる溝を形成してもよい。さらには、これらを組み合わせた態様で溝を形成することも可能である。
【００５６】
溝の深さやその幅については特に限定はないが、溝の深さが深すぎる場合や、幅が広すぎる場合には、樹脂マスク２０の剛性が低下する傾向にあることから、この点を考慮して設定することが必要である。また、溝の断面形状についても特に限定されることはなくＵ字形状やＶ字形状など、加工方法などを考慮して任意に選択すればよい。第２実施形態の蒸着マスクについても同様である。
【００５７】
＜第２実施形態の蒸着マスク＞
次に第２実施形態の蒸着マスクについて説明する。図１２に示すように、第２実施形態の蒸着マスクは、蒸着作製するパターンに対応した開口部２５が複数設けられた樹脂マスク２０の一方の面上に、１つのスリット（１つの貫通孔１６）が設けられた金属マスク１０が積層されてなり、当該複数の開口部２５の全てが、金属マスク１０に設けられた１つの貫通孔と重なる位置に設けられている点を特徴とする。さらに、第２実施形態の蒸着マスクにおいても、樹脂マスク２０の開口部２５を構成するための内壁面が、厚み方向断面において少なくとも１つの屈折点（Ｓ１）を有しており、樹脂マスク２０の金属マスク１０と接しない側の面である第１面と内壁面との交点を第１交点（Ｑ１）とし、樹脂マスク２０の金属マスク１０と接する側の面である第２面と内壁面との交点を第２交点（Ｑ２）とし、屈折点のうち第１交点（Ｑ１）から第２交点（Ｑ２）にむかって最初に位置する第１屈折点（Ｓ１）としたときに、第１交点（Ｑ１）と第１屈折点（Ｓ１)を結ぶ直線（Ｔ１）と第１面とのなす角（θ１）は、第１屈折点（Ｓ１）と第２交点（Ｑ２）を結ぶ直線（Ｔ２）と第２面とのなす角（θ２）よりも大きく、内壁面は、厚み方向断面において第１面から第２面側に向かって広がりをもつ形状であることを特徴としている。
【００５８】
第２実施形態で言う開口部２５とは、蒸着対象物に蒸着パターンを形成するために必要な開口部を意味し、蒸着対象物に蒸着パターンを形成するために必要ではない開口部は、１つの貫通孔１６と重ならない位置に設けられていてもよい。なお、図１２は、第２実施形態の蒸着マスクの一例を示す蒸着マスクを金属マスク側から見た正面図である。
【００５９】
第２実施形態の蒸着マスク１００は、複数の開口部２５を有する樹脂マスク２０上に、１つの貫通孔１６を有する金属マスク１０が設けられており、かつ、複数の開口部２５の全ては、当該１つの貫通孔１６と重なる位置に設けられている。この構成を有する第２実施形態の蒸着マスク１００では、開口部２５間に、金属マスクの厚みと同じ厚み、或いは、金属マスクの厚みより厚い金属線部分が存在していないことから、上記第１実施形態の蒸着マスクで説明したように、金属線部分による干渉を受けることなく樹脂マスク２０に設けられている開口部２５の寸法通りに高精細な蒸着パターンを形成することが可能となる。
【００６０】
また、第２実施形態の蒸着マスクによれば、金属マスク１０の厚みを厚くしていった場合であっても、シャドウの影響を殆ど受けることがないことから、金属マスク１０の厚みを、耐久性や、ハンドリング性を十分に満足させることができるまで厚くすることができ、高精細な蒸着パターンの形成を可能としつつも、耐久性や、ハンドリング性を向上させることができる。
【００６１】
（樹脂マスク）
第２実施形態の蒸着マスクにおける樹脂マスク２０は、樹脂から構成され、図１２に示すように、１つの貫通孔１６と重なる位置に蒸着作製するパターンに対応した開口部２５が複数設けられている。開口部２５は、蒸着作製するパターンに対応しており、蒸着源から放出された蒸着材が開口部２５を通過することで、蒸着対象物には、開口部２５に対応する蒸着パターンが形成される。なお、図示する形態では、開口部が縦横に複数列配置された例を挙げて説明をしているが、縦方向、或いは横方向にのみ配置されていてもよい。
【００６２】
第２実施形態の蒸着マスク１００は、１画面に対応する蒸着パターンの形成に用いられるものであってもよく、２以上の画面に対応する蒸着パターンの同時形成に用いられるものであってもよい。第２実施形態の蒸着マスクにおける「１画面」とは、１つの製品に対応する開口部２５の集合体を意味し、当該１つの製品が有機ＥＬディスプレイである場合には、１つの有機ＥＬディスプレイを形成するのに必要な有機層の集合体、つまり、有機層となる開口部２５の集合体が「１画面」となる。第２実施形態の蒸着マスクは、「１画面」のみからなるものであってもよく、当該「１画面」が複数画面分配置されたものであってもよいが、「１画面」が複数画面分配置される場合には、画面単位毎に所定の間隔をあけて開口部２５が設けられていることが好ましい（第１実施形態の図１１参照）。「１画面」の形態について特に限定はなく、例えば、１つの開口部２５を１画素としたときに、数百万個の開口部２５によって１画面を構成することもできる。
【００６３】
（金属マスク）
第２実施形態の蒸着マスク１００における金属マスク１０は、金属から構成され１つの貫通孔１６を有している。そして、本発明では、当該１つの貫通孔１６は、金属マスク１０の正面からみたときに、全ての開口部２５と重なる位置、換言すれば、樹脂マスク２０に配置された全ての開口部２５がみえる位置に配置されている。
【００６４】
金属マスク１０を構成する金属部分、すなわち１つの貫通孔１６以外の部分は、図１２に示すように蒸着マスク１００の外縁に沿って設けられていてもよく、図１３に示すように金属マスク１０の大きさを樹脂マスク２０よりも小さくし、樹脂マスク２０の外周部分を露出させてもよい。また、金属マスク１０の大きさを樹脂マスク２０よりも大きくして、金属部分の一部を、樹脂マスクの横方向外方、或いは縦方向外方に突出させてもよい。なお、いずれの場合であっても、１つの貫通孔１６の大きさは、樹脂マスク２０の大きさよりも小さく構成されている。
【００６５】
図１２に示される金属マスク１０の１つの貫通孔の壁面をなす金属部分の横方向の幅（Ｗ１）や、縦方向の幅（Ｗ２）について特に限定はないが、Ｗ１、Ｗ２の幅が狭くなっていくに従い、耐久性や、ハンドリング性が低下していく傾向にある。したがって、Ｗ１、Ｗ２は、耐久性や、ハンドリング性を十分に満足させることができる幅とすることが好ましい。金属マスク１０の厚みに応じて適切な幅を適宜設定することができるが、好ましい幅の一例としては、第１実施形態の金属マスクと同様、Ｗ１、Ｗ２ともに１ｍｍ〜１００ｍｍ程度である。
【００６６】
（蒸着マスクの製造方法）
次に、本発明の一実施形態の蒸着マスクの製造方法の一例を説明する。
【００６７】
本発明の一実施形態の蒸着マスクは、図１４（ａ）に示すように、樹脂板３０の一方の面上にスリット１５が設けられた金属マスク１０が積層された樹脂板付き金属マスク５０を準備し、次いで、図１４（ｂ）に示すように、樹脂板付き金属マスク５０に対し、金属マスク１０側からスリット１５を通してレーザーを照射して、図１４（ｃ）に示すように、樹脂板３０に蒸着作製するパターンに対応する開口部２５を形成することで得ることができる。
【００６８】
樹脂板付き金属マスク５０の形成方法としては、樹脂板３０の一方の面上にスリット１５が設けられた金属マスク１０を積層する。樹脂板３０は、上記樹脂マスク２０で説明した材料を用いることができる。
【００６９】
スリット１５が設けられた金属マスク１０の形成方法としては、金属板の表面にマスキング部材、例えば、レジスト材を塗工し、所定の箇所を露光し、現像することで、最終的にスリット１５が形成される位置を残したレジストパターンを形成する。マスキング部材として用いるレジスト材としては処理性が良く、所望の解像性があるものが好ましい。次いで、このレジストパターンを耐エッチングマスクとして用いてエッチング法によりエッチング加工する。エッチングが終了後、レジストパターンを洗浄除去する。これにより、スリット１５が設けられた金属マスク１０が得られる。スリット１５を形成するためのエッチングは、金属板の片面側から行ってもよく、両面から行ってもよい。また、金属板に樹脂板が設けられた積層体を用いて、金属板にスリット１５を形成する場合には、金属板の樹脂板と接しない側の表面にマスキング部材を塗工して、片面側からのエッチングによってスリット１５が形成される。なお、樹脂板が、金属板のエッチング材に対し耐エッチング性を有する場合には、樹脂板の表面をマスキングする必要はないが、樹脂板が、金属板のエッチング材に対する耐性を有しない場合には、樹脂板の表面にマスキング部材を塗工しておく必要がある。また、上記では、マスキング部材としてレジスト材を中心に説明を行ったが、レジスト材を塗工する代わりにドライフィルムレジストをラミネートし、同様のパターニングを行ってもよい。
【００７０】
上記の方法において、樹脂板付金属マスク５０を構成する樹脂板３０は、板状の樹脂のみならず、コーティングによって形成された樹脂層や樹脂膜であってもよい。つまり、樹脂板は、予め準備されたものであってもよく、金属板と樹脂板３０とを用いて樹脂板付き金属マスク５０を形成する場合には、金属板上に、従来公知のコーティング法等によって、最終的に樹脂マスクとなる樹脂層、或いは樹脂膜を形成することもできる。
【００７１】
開口部２５の形成方法としては、上記で準備された樹脂板付き金属マスク５０に対し、レーザー加工法、精密プレス加工、フォトリソ加工等を用いて、樹脂板を貫通させ、樹脂板に蒸着作製するパターンに対応する開口部２５を形成することで、蒸着作製するパターンに対応する開口部２５が設けられた樹脂マスク２０の一方の面上にスリット１５が設けられた金属マスク１０が積層された、本発明の一実施形態の蒸着マスク１００を得る。なお、高精細な開口部２５を容易に形成することができる点からは、開口部２５の形成には、レーザー加工法を用いることが好ましい。上記で説明した開口部の内壁面の厚み方向断面形状とする方法についても特に限定はなく、多段階のレーザー加工や、フォトリソ加工法を用いて適宜形成することができる。例えば、フォトリソ加工法においては、多段階のエッチング加工時におけるエッチング材、エッチングレート、エッチング時間等を適宜設定することで、開口部の厚み方向断面にサイドエッチングを生じせしめ、開口部の厚み方向断面における上記（θ１）、（θ２）を所定の角度の範囲内とすることもできる。また、レーザー加工と、フォトリソ加工を併用して内壁面の厚み方向断面形状が上記で説明した形状となる開口部を形成することもできる。
【００７２】
また、上記開口部２５の形成は、樹脂板付き金属マスク５０をフレームに固定した後に行うことが好ましい。この開口部２５の形成方法によれば、フレームに固定された状態の樹脂板付き金属マスクに対して、後から上記特徴の開口部２５を設けているので、開口部２５の位置座標精度を格段に向上せしめることができる。なお、完成した蒸着マスク１００をフレームに固定する場合には、開口が決定された金属マスクをフレームに対して引っ張りながら固定するために、開口部２５の位置座標精度は低下することとなる。フレームについては後述する。
【００７３】
（有機半導体素子の製造方法）
次に、本発明の一実施形態の有機半導体素子の製造方法について説明する。本発明の一実施形態の有機半導体素子の製造方法は、フレーム付き蒸着マスクを用いた蒸着法により蒸着パターンを形成する工程を有し、当該有機半導体素子を形成する工程において以下のフレーム付き蒸着マスクが用いられる点に特徴を有する。フレーム付き蒸着マスクを用いた蒸着法についていかなる限定もされることはなく、例えば、反応性スパッタリング法、真空蒸着法、イオンプレーティング、電子ビーム蒸着法等の物理的気相成長法（Ｐｈｙｓｉｃａｌ  Ｖａｐｏｒ  Ｄｅｐｏｓｉｔｉｏｎ）、熱ＣＶＤ、プラズマＣＶＤ、光ＣＶＤ法等の化学気相成長法（Ｃｈｅｍｉｃａｌ  Ｖａｐｏｒ  Ｄｅｐｏｓｉｔｉｏｎ）等を挙げることができる。
【００７４】
フレーム付き蒸着マスクを用いた蒸着法により蒸着パターンを形成する工程を有する一実施形態の有機半導体素子の製造方法は、基板上に電極を形成する電極形成工程、有機層形成工程、対向電極形成工程、封止層形成工程等を有し、各任意の工程においてフレーム付き蒸着マスクを用いた蒸着法により基板上に蒸着パターンが形成される。例えば、有機ＥＬデバイスのＲ，Ｇ，Ｂ各色の発光層形成工程に、フレーム付き蒸着マスクを用いた蒸着法をそれぞれ適用する場合には、基板上に各色発光層の蒸着パターンが形成される。なお、本発明の一実施形態の有機半導体素子の製造方法は、これらの工程に限定されるものではなく、蒸着法を用いる従来公知の有機半導体素子の任意の工程に適用可能である。
【００７５】
本発明の一実施形態の有機半導体素子の製造方法は、上記蒸着パターンを形成する工程において、フレームに固定される前記蒸着マスクが、上記で説明した本発明の一実施形態の蒸着マスクであることを特徴とする。
【００７６】
フレーム付き蒸着マスクを構成する蒸着マスクについては、上記で説明した本発明の一実施形態の蒸着マスク１００をそのまま用いることができ、ここでの詳細な説明は省略する。上記で説明した本発明の一実施形態の蒸着マスクによれば、高精細なパターンを有する有機半導体素子を形成することができる。本発明の製造方法で製造される有機半導体素子としては、例えば、有機ＥＬ素子の有機層、発光層や、カソード電極等を挙げることができる。特に、本発明の一実施形態の有機半導体素子の製造方法は、高精細なパターン精度が要求される有機ＥＬ素子のＲ、Ｇ、Ｂ発光層の製造に好適に用いることができる。
【００７７】
有機半導体素子の製造に用いられるフレーム付き蒸着マスクは、フレームに、上記で説明した本発明の一実施形態の蒸着マスクが固定されているとの条件を満たすものであればよく、その他の条件について特に限定されることはない。例えば、図１５に示すように、フレーム６０に、１つの蒸着マスク１００が固定されてなるフレーム付き蒸着マスク２００を用いてもよく、図１６に示すように、フレーム６０に、複数の蒸着マスク（図示する形態では４つの蒸着マスク）が縦方向、或いは横方向に並べて固定（図示する形態では横方向に並べて固定）されたフレーム付き蒸着マスク２００を用いてもよい。
【００７８】
フレーム６０は、略矩形形状の枠部材であり、最終的に固定される蒸着マスク１００の樹脂マスク２０に設けられた開口部２５を蒸着源側に露出させるための開口を有する。フレームの材料について特に限定はなく、蒸着マスクを支持することができる部材であればよく、例えば、金属フレーム、セラミックフレーム等を使用することができる。中でも、金属フレームは、蒸着マスクの金属マスクとの溶接が容易であり、変形等の影響が小さい点で好ましい。金属フレームの材料としては、剛性が大きい金属材料、例えば、ＳＵＳや、インバー材などが好適である。
【００７９】
フレームの厚みについても特に限定はないが、剛性等の点から１０ｍｍ〜３０ｍｍ程度であることが好ましい。フレームの開口の内周端面と、フレームの外周端面間の幅は、当該フレームと、蒸着マスクの金属マスクとを固定することができる幅であれば特に限定はなく、例えば、１０ｍｍ〜７０ｍｍ程度の幅を例示することができる。
【００８０】
また、蒸着マスク１００を構成する樹脂マスク２０の開口部２５の露出を妨げない範囲で、フレームの開口に補強フレーム６５等が存在していてもよい。換言すれば、フレーム６０が有する開口が、補強フレーム等によって分割された構成を有していてもよい。図１５、図１６に示す形態では、横方向に延びる補強フレーム６５が縦方向に複数配置されているが、この補強フレーム６５にかえて、或いは、これとともに縦方向に延びる補強フレームが横方向に複数列配置されていてもよい。補強フレーム６５が配置されたフレーム６０を用いることで、当該フレーム６０に、上記で説明した各種の実施形態の蒸着マスク１００を縦方向、及び横方向に複数並べて固定するときに、当該補強フレームと蒸着マスクが重なる位置においても、金属フレーム６０に蒸着マスクを固定することができる。
【００８１】
フレーム６０と、本発明の一実施形態の蒸着マスク１００との固定方法についても特に限定はなく、レーザー光によるスポット溶接、接着剤、ねじ止め等を用いて固定することができる。
【００８２】
＜フレーム付き蒸着マスク＞
次に、本発明の一実施形態のフレーム付き蒸着マスクについて説明する。本発明の一実施形態のフレーム付き蒸着マスク２００は、図１５、図１６に示すように、フレーム６０に蒸着マスク１００が固定されてなり、フレームに固定される蒸着マスク１００が、上記で説明した蒸着マスク１００であることを特徴としている。つまりは、フレーム６０に固定される蒸着マスクとして、蒸着作製するパターンに対応する開口部２５が設けられた樹脂マスク２０の一方の面上に、開口部２５と重なるスリット１５が設けられた金属マスク１０が積層され、さらに、樹脂マスク２０の開口部２５を構成するための内壁面が、厚み方向断面において少なくとも１つの屈折点（Ｓ１）を有しており、当該厚み方向断面において、樹脂マスク２０の金属マスク１０と接しない側の面である第１面と内壁面との交点を第１交点（Ｑ１）とし、樹脂マスク２０の金属マスク１０と接する側の面である第２面と内壁面との交点を第２交点（Ｑ２）とし、屈折点のうち第１交点（Ｑ１）から第２交点（Ｑ２）にむかって最初に位置する第１屈折点（Ｓ１）としたときに、第１交点（Ｑ１）と第１屈折点（Ｓ１)を結ぶ直線（Ｔ１）と第１面とのなす角（θ１）は、第１屈折点（Ｓ１）と第２交点（Ｑ２）を結ぶ直線（Ｔ２）と第２面とのなす角（θ２）よりも大きく、内壁面は、厚み方向断面において第１面から第２面側に向かって広がりをもつ形状であることを特徴としている。
【００８３】
フレーム付き蒸着マスク２００は、上記有機半導体素子の製造方法で説明したフレーム付き蒸着マスクをそのまま用いることができ、ここでの詳細な説明は省略する。
【００８４】
一実施形態のフレーム付き蒸着マスク２００によれば、開口部の強度を保ちつつも、シャドウの発生を十分に抑制することができ、蒸着対象物に高精細な蒸着パターンを作製することができる。
【符号の説明】
【００８５】
２００…フレーム付き蒸着マスク
１００…蒸着マスク
１０…金属マスク
１５…スリット
１６…貫通孔
２０…樹脂マスク
２５…開口部
３０…樹脂板
５０…樹脂板付き金属マスク
６０…フレーム
【図１】
2019023348.tif 000003
【図２】
2019023348.tif 000004
【図３】
2019023348.tif 000005
【図４】
2019023348.tif 000006
【図５】
2019023348.tif 000007
【図６】
2019023348.tif 000008
【図７】
2019023348.tif 000009
【図８】
2019023348.tif 000010
【図９】
2019023348.tif 000011
【図１０】
2019023348.tif 000012
【図１１】
2019023348.tif 000013
【図１２】
2019023348.tif 000014
【図１３】
2019023348.tif 000015
【図１４】
2019023348.tif 000016
【図１５】
2019023348.tif 000017
【図１６】
2019023348.tif 000018